(57)【要約】【課題】バッテリの無駄な消費を防ぐようにする。【解決手段】抵抗値計測部１４１は、ヘッドホン１１１のイヤーパッド１３２の内部に設けられる導電体から抵抗値を計測し、計測した抵抗値を装着判定部１５１に供給する。装着判定部１５１は、抵抗値計測部１４１から供給された抵抗値を基に、ユーザがヘッドホン１１１を装着しているか否かを判定し、判定した結果を制御部１４２に供給する。制御部１４２は、装着判定部１５１からの判定結果を基に、音楽プレーヤ１１２の電源モードを移行させることで、音楽プレーヤ１１２のバッテリの無駄な消費を防ぐようにする。本発明は、再生システムに適用できる。【選択図】図３
2006024241.tif 000002
【特許請求の範囲】
【請求項１】
人体に装着され、電気信号を音声に変換する両耳装着型音情報伝達機器と、前記両耳装着型音情報伝達機器に前記電気信号を供給する再生装置とからなる再生システムにおいて、
前記両耳装着型音情報伝達機器は、
右チャンネルの前記電気信号を音声に変換する第１の変換部に、前記人体に接触するように設けられた第１の電極と、
左チャンネルの前記電気信号を音声に変換する第２の変換部に、前記人体に接触するように設けられた第２の電極と
を備え、
前記再生装置は、
前記第１の電極と前記第２の電極との間の抵抗値または容量値を計測する計測手段と、
前記計測手段により計測された前記抵抗値または前記容量値を基に、前記両耳装着型音情報伝達機器が前記人体に装着されているか否かを判定する判定手段と、
前記判定手段による判定結果に基づいて、自分の状態を制御する制御手段と
を備えることを特徴とする再生システム。
【請求項２】
人体に装着され、電気信号を音声に変換する両耳装着型音情報伝達機器において、
右チャンネルの前記電気信号を音声に変換する第１の変換部に、前記人体に接触するように設けられた第１の電極と、
左チャンネルの前記電気信号を音声に変換する第２の変換部に、前記人体に接触するように設けられた第２の電極と
を備えることを特徴とする両耳装着型音情報伝達機器。
【請求項３】
人体に装着され、電気信号を音声に変換する両耳装着型音情報伝達機器に前記電気信号を供給する再生装置において、
前記両耳装着型音情報伝達機器の右チャンネルの前記電気信号を音声に変換する第１の変換部に、前記人体に接触するように設けられた第１の電極と、前記両耳装着型音情報伝達機器の左チャンネルの前記電気信号を音声に変換する第２の変換部に、前記人体に接触するように設けられた第２の電極との間の抵抗値または容量値を計測する計測手段と、
前記計測手段により計測された前記抵抗値または前記容量値を基に、前記両耳装着型音情報伝達機器が前記人体に装着されているか否かを判定する判定手段と、
前記判定手段による判定結果に基づいて、自分の状態を制御する制御手段と
を備えることを特徴とする再生装置。
【請求項４】
前記制御手段は、前記判定手段による判定結果に基づいて、前記両耳装着型音情報伝達機器が前記人体に装着されていないと判定された場合、前記状態を前記電気信号の前記両耳装着型音情報伝達機器への供給を停止させる状態に制御する
ことを特徴とする請求項３に記載の再生装置。
【請求項５】
前記制御手段は、前記判定手段による判定結果に基づいて、前記両耳装着型音情報伝達機器が前記人体に装着されていると判定された場合、前記状態を前記電気信号を前記両耳装着型音情報伝達機器に供給する状態に制御する
ことを特徴とする請求項３に記載の再生装置。
【請求項６】
人体に装着され、電気信号を音声に変換する両耳装着型音情報伝達機器に前記電気信号を供給する再生装置の再生方法において、
前記両耳装着型音情報伝達機器の右チャンネルの前記電気信号を音声に変換する第１の変換部に、前記人体に接触するように設けられた第１の電極と、前記両耳装着型音情報伝達機器の左チャンネルの前記電気信号を音声に変換する第２の変換部に、前記人体に接触するように設けられた第２の電極との間の抵抗値または容量値を計測する計測ステップと、
前記計測ステップにより計測された前記抵抗値または前記容量値を基に、前記両耳装着型音情報伝達機器が前記人体に装着されているか否かを判定する判定ステップと、
前記判定ステップによる判定結果に基づいて、自分の状態を制御する制御ステップと
を含むことを特徴とする再生方法。
【請求項７】
人体に装着され、電気信号を音声に変換する両耳装着型音情報伝達機器に前記電気信号を供給する再生処理用のプログラムであって、
前記両耳装着型音情報伝達機器の右チャンネルの前記電気信号を音声に変換する第１の変換部に、前記人体に接触するように設けられた第１の電極と、前記両耳装着型音情報伝達機器の左チャンネルの前記電気信号を音声に変換する第２の変換部に、前記人体に接触するように設けられた第２の電極との間の抵抗値または容量値を計測する計測ステップと、
前記計測ステップにより計測された前記抵抗値または前記容量値を基に、前記両耳装着型音情報伝達機器が前記人体に装着されているか否かを判定する判定ステップと、
前記判定ステップによる判定結果に基づいて、自分の状態を制御する制御ステップと
を含むことを特徴とするコンピュータが読み取り可能なプログラムが記録されている記録媒体。
【請求項８】
人体に装着され、電気信号を音声に変換する両耳装着型音情報伝達機器に前記電気信号を供給する再生装置のコンピュータに、再生処理を行わせるプログラムにおいて、
前記両耳装着型音情報伝達機器の右チャンネルの前記電気信号を音声に変換する第１の変換部に、前記人体に接触するように設けられた第１の電極と、前記両耳装着型音情報伝達機器の左チャンネルの前記電気信号を音声に変換する第２の変換部に、前記人体に接触するように設けられた第２の電極との間の抵抗値または容量値を計測する計測ステップと、
前記計測ステップにより計測された前記抵抗値または前記容量値を基に、前記両耳装着型音情報伝達機器が前記人体に装着されているか否かを判定する判定ステップと、
前記判定ステップによる判定結果に基づいて、自分の状態を制御する制御ステップと
を含むことを特徴とするプログラム。
【発明の詳細な説明】
【技術分野】
【０００１】
本発明は再生システム、両耳装着型音情報伝達機器、再生装置および方法、記録媒体、並びにプログラムに関し、特に、バッテリによる再生時間をより長くすることができるようにした再生システム、両耳装着型音情報伝達機器、再生装置および方法、記録媒体、並びにプログラムに関する。
【背景技術】
【０００２】
昨今、CD（Compact Disc）やMD（Mini Disc）などを再生する携帯型音楽プレーヤが普及している。携帯型音楽プレーヤでは、バッテリにより、より長く再生できるようにすることが重要である。そのために、音楽を再生していない間は、携帯型音楽プレーヤの電源を停止しておくことが望ましい。
【０００３】
図１は、ヘッドホン１１と音楽プレーヤ（携帯型音楽プレーヤ）１２とからなる従来の再生システムを示す図である。
【０００４】
ヘッドホン１１は、人間の両耳に被せて装着され、ヘッドホンコード（図１のヘッドホン１１と音楽プレーヤ１２とを接続しているコード）を介して、後述する音楽プレーヤ１２から供給される音声信号を音声に変換し、変換した音声を出力する。
【０００５】
音楽プレーヤ１２は、例えば、CDまたはMDなどの記憶媒体から、音楽データを読み出し、読み出した音声データを基に、音声信号を再生し、ヘッドホンコードを介して、再生した音声信号をヘッドホン１１に供給する。
【０００６】
また、音楽プレーヤ１２の電源の状態（電源モード）であるが、音楽プレーヤ１２の電源がオンしている状態を通常モードと称し、一方、音楽プレーヤ１２の操作入力および制御に要する部位のみに電源を供給し、音声の再生に要する部位の電源をオフしている状態を電源保持モードと称する。すなわち、音楽プレーヤ１２の電源モードが通常モードである場合、音楽プレーヤ１２の全体が、バッテリにより駆動されており、一方、音楽プレーヤ１２の電源モードが電源保持モードである場合、音楽プレーヤ１２は、ユーザからの操作を受け付けるのに必要な最小限の部分がバッテリにより駆動され、電力をより多く消費する音声の再生に要する部位がバッテリにより駆動されない。
【０００７】
より具体的には、音楽プレーヤ１２の電源モードが通常モードである場合、音楽プレーヤ１２は、ヘッドホンコードを介して、音声信号をヘッドホン１１に供給し、一方、音楽プレーヤ１２の電源モードが電源保持モードである場合、音楽プレーヤ１２は、ヘッドホンコードを介して、音声信号をヘッドホン１１には供給しない。換言すれば、音楽プレーヤ１２の電源モードが通常モードである場合、ユーザは、ヘッドホン１１から音楽を聴くことができるが、一方、音楽プレーヤ１２の電源モードが電源保持モードである場合、ユーザは、ヘッドホン１１から音楽を聴くことはできない。
【０００８】
また、音楽プレーヤ１２には、再生、停止、ポーズ、早送り、巻き戻し、またはボリューム調節などの各種ボタンが設けられている。ユーザの操作により、音楽プレーヤ１２の再生ボタンが押された場合、音楽プレーヤ１２は、音声信号をヘッドホン１１に供給し、さらに、ユーザの操作により、音楽プレーヤ１２の停止ボタンが押された場合、音楽プレーヤ１２は、音声信号のヘッドホン１１への供給を停止する。
【０００９】
このようにして、音楽プレーヤ１２に接続されたヘッドホン１１を耳に装着したユーザは、音楽を聴くことができる。
【００１０】
次に、図２のフローチャートを参照して、従来の再生システムの電源モードの変更の処理について説明する。
【００１１】
ステップＳ１１において、音楽プレーヤ１２は、音楽プレーヤ１２の再生ボタンが押された場合、通常モードである電源モードで動作する。すなわち、音楽プレーヤ１２は、ヘッドホンコードを介して、音声信号をヘッドホン１１に供給する。この場合、ユーザは、ヘッドホン１１を耳に装着して、音楽プレーヤ１２が再生する音楽を聴くことができる。
【００１２】
ステップＳ１２において、音楽プレーヤ１２は、ユーザの操作により、停止ボタンが押されたか否かを判定する。
【００１３】
ステップＳ１２において、ユーザの操作により、音楽プレーヤ１２の停止ボタンが押されていないと判定された場合、音楽プレーヤ１２の電源モードは、通常モードのままで、ステップＳ１３に進み、音楽プレーヤ１２は、ユーザの操作により、音楽プレーヤ１２のポーズボタンが押されたか否かを判定する。
【００１４】
ステップＳ１３において、ユーザの操作により、音楽プレーヤ１２のポーズボタンが押されていないと判定された場合、音楽プレーヤ１２の電源モードは、通常モードのままであるので、ステップＳ１１に戻り、上述した処理を繰り返す。
【００１５】
一方、ステップＳ１３において、ユーザの操作により、音楽プレーヤ１２のポーズボタンが押されたと判定された場合、音楽プレーヤ１２は、音声信号の再生をポーズして（一時停止して）、ステップＳ１４に進み、音楽プレーヤ１２は、ポーズしてから、所定の時間が経過したか否かを判定する。
【００１６】
ステップＳ１４において、所定の時間が経過していないと判定された場合、ステップＳ１４に戻り、所定の時間が経過するまで、上述した処理を繰り返す。
【００１７】
ステップＳ１４において、所定の時間が経過したと判定された場合、ステップＳ１５に進み、音楽プレーヤ１２の電源モードは、通常モードから電源保持モードに移行する。すなわち、ユーザの操作により、音楽プレーヤ１２のポーズボタンが押された場合、所定の時間が経過した後、音楽プレーヤ１２の電源モードは、通常モードから電源保持モードへと移行する。このように、音楽プレーヤ１２のポーズボタンが押されて、所定の時間が経過した場合、音楽プレーヤ１２は電源をオフする。
【００１８】
ステップＳ１２において、ユーザの操作により、音楽プレーヤ１２の停止ボタンが押されたと判定された場合、ステップＳ１５に進み、音楽プレーヤ１２の電源モードは、通常モードから電源保持モードに移行する。すわわち、ユーザの操作により、音楽プレーヤ１２の停止ボタンが押された場合、音楽プレーヤ１２の電源がオフする。この場合、ユーザの明示的な操作により、音楽プレーヤ１２の電源がオフするとも言える。
【００１９】
ステップＳ１６において、音楽プレーヤ１２は、ユーザの操作により、音楽プレーヤ１２の再生ボタンが押されたか否かを判定する。
【００２０】
ステップＳ１６において、ユーザの操作により、音楽プレーヤ１２の再生ボタンが押されたと判定された場合、ステップＳ１１に戻り、音楽プレーヤ１２の電源モードは、電源保持モードから通常モードに移行する。すわわち、音楽プレーヤ１２の再生ボタンが押された場合、音楽プレーヤ１２の電源がオンする。換言すれば、ユーザの明示的な操作により、音楽プレーヤ１２の電源がオンするとも言える。
【００２１】
一方、ステップＳ１６において、ユーザの操作により、音楽プレーヤ１２の再生ボタンが押されていないと判定された場合、ステップＳ１６に戻り、ユーザの操作により、音楽プレーヤ１２の再生ボタンが押されるまで、上述した処理を繰り返す。すなわち、ユーザの操作が行われるまで、音楽プレーヤ１２の電源モードは、電源保持モードで動作し続けるので、音楽プレーヤ１２の電源は、オフのままである。ユーザの明示的な操作なしでは、音楽プレーヤ１２の電源モードを変更させることはできないとも言える。
【００２２】
なお、ステップＳ１６の処理において、ユーザの操作により押される音楽プレーヤ１２のボタンは、上述した再生ボタンに限らず、例えば、早送り、巻き戻し、またはボリューム調節のボタンなどであってもよい。
【００２３】
以上のようにして、音楽プレーヤ１２は、ユーザの明示的な操作により、電源モードを移行させる。
【００２４】
また、放音手段が人体に装着状態で変位する可動部を有し、その可動部の変位によって電源を供給しているものもある（例えば、特許文献１参照）。
【００２５】
【特許文献１】特開２００２−３０５７８５号公報
【発明の開示】
【発明が解決しようとする課題】
【００２６】
しかしながら、ユーザの明示的な操作でしか音楽プレーヤの電源モードを変更することができなかったので、ユーザが操作を忘れた場合、ユーザの気づかないうちにバッテリが空になるまで、音楽の再生を続けてしまうという問題があった。
【００２７】
例えば、ユーザが音楽プレーヤの停止ボタンを押さないでヘッドホンを外して、そのままの状態にした場合、ユーザは、音楽の再生が無駄に続いていることを気づかずに、バッテリが無駄に消費されてしまうので、音楽プレーヤのバッテリによる再生時間が短くなっていた。
【００２８】
また、放音手段に可動部分を設けると、装着した場合に、ユーザは違和感を感じるという問題があった。さらに、ユーザの耳とヘッドホンとの位置の微妙なずれで、ユーザが視聴する音声の特性（周波数特性など）が大きく変化してしまう。従って、放音手段に可動部分を設けると、装着のたびに音声の音質が変化してしまうという問題があった。
【００２９】
本発明はこのような状況に鑑みてなされたものであり、違和感なく、より一定の音質で音声を出力するとともに、人体の導電性を利用して、ユーザがヘッドホンを耳に装着している場合にのみ、音楽を再生させることで、バッテリの無駄な消費を防ぐようにするものである。
【課題を解決するための手段】
【００３０】
本発明の再生システムは、両耳装着型音情報伝達機器が、右チャンネルの電気信号を音声に変換する第１の変換部に、人体に接触するように設けられた第１の電極と、左チャンネルの電気信号を音声に変換する第２の変換部に、人体に接触するように設けられた第２の電極とを備え、再生装置が、第１の電極と第２の電極との間の抵抗値または容量値を計測する計測手段と、計測手段により計測された抵抗値または容量値を基に、両耳装着型音情報伝達機器が人体に装着されているか否かを判定する判定手段と、判定手段による判定結果に基づいて、自分の状態を制御する制御手段とを備えることを特徴とする。
【００３１】
本発明の両耳装着型音情報伝達機器は、右チャンネルの電気信号を音声に変換する第１の変換部に、人体に接触するように設けられた第１の電極と、左チャンネルの電気信号を音声に変換する第２の変換部に、人体に接触するように設けられた第２の電極とを備えることを特徴とする。
【００３２】
本発明の再生装置は、両耳装着型音情報伝達機器の右チャンネルの電気信号を音声に変換する第１の変換部に、人体に接触するように設けられた第１の電極と、両耳装着型音情報伝達機器の左チャンネルの電気信号を音声に変換する第２の変換部に、人体に接触するように設けられた第２の電極との間の抵抗値または容量値を計測する計測手段と、計測手段により計測された抵抗値または容量値を基に、両耳装着型音情報伝達機器が人体に装着されているか否かを判定する判定手段と、判定手段による判定結果に基づいて、自分の状態を制御する制御手段とを備えることを特徴とする。
【００３３】
制御手段は、判定手段による判定結果に基づいて、両耳装着型音情報伝達機器が人体に装着されていないと判定された場合、状態を電気信号の両耳装着型音情報伝達機器への供給を停止させる状態に制御することを特徴とする。
【００３４】
制御手段は、判定手段による判定結果に基づいて、両耳装着型音情報伝達機器が人体に装着されていると判定された場合、状態を電気信号を両耳装着型音情報伝達機器に供給する状態に制御することを特徴とする。
【００３５】
本発明の再生方法は、両耳装着型音情報伝達機器の右チャンネルの電気信号を音声に変換する第１の変換部に、人体に接触するように設けられた第１の電極と、両耳装着型音情報伝達機器の左チャンネルの電気信号を音声に変換する第２の変換部に、人体に接触するように設けられた第２の電極との間の抵抗値または容量値を計測する計測ステップと、計測ステップにより計測された抵抗値または容量値を基に、両耳装着型音情報伝達機器が人体に装着されているか否かを判定する判定ステップと、判定ステップによる判定結果に基づいて、自分の状態を制御する制御ステップとを含むことを特徴とする。
【００３６】
本発明の記録媒体のプログラムは、人体に装着され、電気信号を音声に変換する両耳装着型音情報伝達機器に電気信号を供給する再生処理用のプログラムであって、両耳装着型音情報伝達機器の右チャンネルの電気信号を音声に変換する第１の変換部に、人体に接触するように設けられた第１の電極と、両耳装着型音情報伝達機器の左チャンネルの電気信号を音声に変換する第２の変換部に、人体に接触するように設けられた第２の電極との間の抵抗値または容量値を計測する計測ステップと、計測ステップにより計測された抵抗値または容量値を基に、両耳装着型音情報伝達機器が人体に装着されているか否かを判定する判定ステップと、判定ステップによる判定結果に基づいて、自分の状態を制御する制御ステップとを含むことを特徴とする。
【００３７】
本発明のプログラムは、両耳装着型音情報伝達機器の右チャンネルの電気信号を音声に変換する第１の変換部に、人体に接触するように設けられた第１の電極と、両耳装着型音情報伝達機器の左チャンネルの電気信号を音声に変換する第２の変換部に、人体に接触するように設けられた第２の電極との間の抵抗値または容量値を計測する計測ステップと、計測ステップにより計測された抵抗値または容量値を基に、両耳装着型音情報伝達機器が人体に装着されているか否かを判定する判定ステップと、判定ステップによる判定結果に基づいて、自分の状態を制御する制御ステップとを含むことを特徴とする。
【００３８】
本発明の再生システムにおいては、両耳装着型音情報伝達機器が、右チャンネルの電気信号を音声に変換する第１の変換部に、人体に接触するように設けられた第１の電極と、左チャンネルの電気信号を音声に変換する第２の変換部に、人体に接触するように設けられた第２の電極とを備え、再生装置が、第１の電極と第２の電極との間の抵抗値または容量値を計測し、計測された抵抗値または容量値を基に、両耳装着型音情報伝達機器が人体に装着されているか否かを判定し、判定結果に基づいて、自分の状態を制御する。
【００３９】
本発明の両耳装着型音情報伝達機器においては、右チャンネルの電気信号を音声に変換する第１の変換部に、人体に接触するように設けられた第１の電極と、左チャンネルの電気信号を音声に変換する第２の変換部に、人体に接触するように設けられた第２の電極とを備える。
【００４０】
本発明の再生装置および方法、記録媒体、並びにプログラムにおいては、両耳装着型音情報伝達機器の右チャンネルの電気信号を音声に変換する第１の変換部に、人体に接触するように設けられた第１の電極と、両耳装着型音情報伝達機器の左チャンネルの電気信号を音声に変換する第２の変換部に、人体に接触するように設けられた第２の電極との間の抵抗値または容量値を計測し、計測された抵抗値または容量値を基に、両耳装着型音情報伝達機器が人体に装着されているか否かを判定し、判定結果に基づいて、自分の状態を制御する。
【発明の効果】
【００４１】
本発明によれば、電源モードを変更することができる。また、本発明によれば、より一定の音質で音声を出力できるとともに、より長く音声を再生することができる。
【発明を実施するための最良の形態】
【００４２】
以下に本発明の最良の形態を説明するが、開示される発明と実施の形態との対応関係を例示すると、次のようになる。本明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応していないものであることを意味するものではない。
【００４３】
さらに、この記載は、明細書に記載されている発明の全てを意味するものではない。換言すれば、この記載は、明細書に記載されている発明であって、この出願では請求されていない発明の存在、すなわち、将来、分割出願されたり、補正により出現し、追加される発明の存在を否定するものではない。
【００４４】
本発明によれば、再生システムが提供される。この再生システムは、両耳装着型音情報伝達機器（例えば、図３のヘッドホン１１１）が、右チャンネルの電気信号を音声に変換する第１の変換部に、人体に接触するように設けられた第１の電極（例えば、図４の導電体２０２）と、左チャンネルの電気信号を音声に変換する第２の変換部に、人体に接触するように設けられた第２の電極（例えば、図４の導電体２０２）とを備え、再生装置が、第１の電極と第２の電極との間の抵抗値または容量値を計測する計測手段（例えば、図３の抵抗値計測部１４１）と、計測手段により計測された抵抗値または容量値を基に、両耳装着型音情報伝達機器が人体に装着されているか否かを判定する判定手段（例えば、図３の装着判定部１５１）と、判定手段による判定結果に基づいて、自分の状態を制御する制御手段（例えば、図３の制御部１４２）とを備える。
【００４５】
本発明によれば、両耳装着型音情報伝達機器が提供される。この両耳装着型音情報伝達機器（例えば、図３のヘッドホン１１１）は、右チャンネルの電気信号を音声に変換する第１の変換部に、人体に接触するように設けられた第１の電極（例えば、図４の導電体２０２）と、左チャンネルの電気信号を音声に変換する第２の変換部に、人体に接触するように設けられた第２の電極（例えば、図４の導電体２０２）とを備える。
【００４６】
本発明によれば、再生装置が提供される。この再生装置は、両耳装着型音情報伝達機器の右チャンネルの電気信号を音声に変換する第１の変換部に、人体に接触するように設けられた第１の電極と、両耳装着型音情報伝達機器の左チャンネルの電気信号を音声に変換する第２の変換部に、人体に接触するように設けられた第２の電極との間の抵抗値または容量値を計測する計測手段（例えば、図３の抵抗値計測部１４１）と、計測手段により計測された抵抗値または容量値を基に、両耳装着型音情報伝達機器が人体に装着されているか否かを判定する判定手段（例えば、図３の装着判定部１５１）と、判定手段による判定結果に基づいて、自分の状態を制御する制御手段（例えば、図３の制御部１４２）とを備える。
【００４７】
制御手段は、判定手段による判定結果に基づいて、両耳装着型音情報伝達機器が人体に装着されていないと判定された場合、状態を電気信号の両耳装着型音情報伝達機器への供給を停止させる状態に制御することができる。
【００４８】
制御手段は、判定手段による判定結果に基づいて、両耳装着型音情報伝達機器が人体に装着されていると判定された場合、状態を電気信号を両耳装着型音情報伝達機器に供給する状態に制御することができる。
【００４９】
本発明によれば、再生方法が提供される。この再生方法は、両耳装着型音情報伝達機器の右チャンネルの電気信号を音声に変換する第１の変換部に、人体に接触するように設けられた第１の電極と、両耳装着型音情報伝達機器の左チャンネルの電気信号を音声に変換する第２の変換部に、人体に接触するように設けられた第２の電極との間の抵抗値または容量値を計測する計測ステップ（例えば、図５のステップＳ１０３の処理）と、計測ステップにより計測された抵抗値または容量値を基に、両耳装着型音情報伝達機器が人体に装着されているか否かを判定する判定ステップ（例えば、図５のステップＳ１０４の処理）と、判定ステップによる判定結果に基づいて、自分の状態を制御する制御ステップ（例えば、図５のステップＳ１０１およびステップＳ１０５の処理）とを含む。
【００５０】
本発明によれば、プログラムが提供される。このプログラムは、両耳装着型音情報伝達機器の右チャンネルの電気信号を音声に変換する第１の変換部に、人体に接触するように設けられた第１の電極と、両耳装着型音情報伝達機器の左チャンネルの電気信号を音声に変換する第２の変換部に、人体に接触するように設けられた第２の電極との間の抵抗値または容量値を計測する計測ステップ（例えば、図５のステップＳ１０３の処理）と、計測ステップにより計測された抵抗値または容量値を基に、両耳装着型音情報伝達機器が人体に装着されているか否かを判定する判定ステップ（例えば、図５のステップＳ１０４の処理）と、判定ステップによる判定結果に基づいて、自分の状態を制御する制御ステップ（例えば、図５のステップＳ１０１およびステップＳ１０５の処理）とを実行させる。
【００５１】
このプログラムは、記憶媒体（例えば、図３の磁気ディスク１２１）に記憶することができる。
【００５２】
以下、図面を参照しながら本発明の実施の形態について説明する。
【００５３】
図３は、本発明を適用した再生システム１０１の一実施の形態の構成を示すブロック図である。
【００５４】
再生システム１０１は、ヘッドホン１１１および音楽プレーヤ１１２から構成される。ヘッドホン１１１は、人体に装着され、電気信号を音響信号に変換する両耳装着型音情報伝達機器の一例である。また、音楽プレーヤ１１２は、両耳装着型音情報伝達機器に電気信号を供給する再生装置の一例である。
【００５５】
また、図３で示される例において、後述するドライバ１３１−１およびドライバ１３１−２と後述する音楽プレーヤ１１２の音楽再生部１４３とを接続するコードをヘッドホンコードと称し、後述するイヤーパット１３２−１およびイヤーパット１３２−２と後述する音楽プレーヤ１１２の抵抗値計測部１４１とを接続するコードを計測用コードと称する。
【００５６】
なお、ヘッドホンコードおよび計測用コードは、例えば、３芯コードなどを使用するなど、実際には一体とすることが好ましいが、別々のコードとしてもよい。
【００５７】
ヘッドホン１１１は、ヘッドホンコードを介して、後述する音楽プレーヤ１１２から供給される音声信号を人間の耳で認識できる音声（音波（空気の振動））に変換し、変換した音声を出力する。
【００５８】
ヘッドホン１１１は、ヘッドホンに限らず、イヤホンであってもよい。すなわち、ヘッドホン１１１は、ダイナミック型若しくはコンデンサ型、開放型若しくは密閉型、またはインナーイヤー型（イヤホン）、オーバーヘッドバンド型、クリップ型若しくはネックバンド型などとすることができる。さらに、ヘッドホンは、アナログ信号である音声信号に限らず、デジタル信号である音声信号を基に、音声を出力するようにしてもよい。
【００５９】
ヘッドホン１１１は、ドライバ１３１−１、ドライバ１３１−２、イヤーピース１３２−１、およびイヤーピース１３２−２からなる。また、ドライバ１３１−１およびドライバ１３１−２は、ヘッドホンコードを介して、音楽プレーヤ１１２の音楽再生部１４３に接続され、イヤーピース１３２−１およびイヤーピース１３２−２は、計測用コードを介して、音楽プレーヤ１１２の抵抗値計測部１４１と接続される。
【００６０】
ドライバ１３１−１は、例えば、アルミニウム若しくはマグネシウムなどの軽金属、プラスチック、または木材などの素材からなり、後述するコイルまたはピエゾ素子などからなる発音体（後述するドライバユニット）を覆い、ドライバ１３１−１内部の発音体が、ヘッドホンコードを介して、後述する音楽プレーヤ１１２から供給される音声信号応じて振動することで、音声信号を音声に変換する。例えば、ドライバ１３１−１は、左チャンネルの音声信号を音声（音波）に変換する。例えば、ドライバ１３１−１は、後述するイヤーピース１３２−１と一体に形成される。イヤーピース１３２−１がユーザの左耳に挿入されるか、またはユーザの左耳に被せて装着されることにより、ドライバ１３１−１は、ユーザの左耳に装着される。
【００６１】
ドライバ１３１−２は、例えば、アルミニウム若しくはマグネシウムなどの軽金属、プラスチック、または木材などの素材からなり、後述するコイルまたはピエゾ素子などからなる発音体（後述するドライバユニット）を覆い、ドライバ１３１−２内部の発音体が、ヘッドホンコードを介して、後述する音楽プレーヤ１１２から供給される音声信号応じて振動することで、音声信号を音声に変換する。例えば、ドライバ１３１−２は、右チャンネルの音声信号を音声（音波）に変換する。例えば、ドライバ１３１−２は、後述するイヤーピース１３２−２と一体に形成される。イヤーピース１３２−２がユーザの右耳に挿入されるか、またはユーザの右耳に被せて装着されることにより、ドライバ１３１−２は、ユーザの右耳に装着される。
【００６２】
イヤーピース１３２−１は、例えば、導電性エラストマー、導電性ゴム、導電性プラスチックなどの（柔軟な）導電性の素材からなり、ユーザの左耳の耳孔に挿入されるか、または、ユーザの左の耳殻（耳介）を被うように、ユーザの左耳に装着される。イヤーピース１３２−１は、ドライバ１３１−１内部の発音体が発した音波をユーザの左耳に導くか、または透過させる。すなわち、ユーザは、左耳から音を聞くことができる。イヤーピース１３２−１は、ユーザの左耳に装着された場合、計測用コードを介して、ユーザの左耳と音楽プレーヤ１１２の抵抗計測部１４１とを電気的に接続する。
【００６３】
イヤーピース１３２−２は、例えば、導電性エラストマー、導電性ゴム、導電性プラスチックなどの（柔軟な）導電性の素材からなり、ユーザの右耳の耳孔に挿入されるか、または、ユーザの右の耳殻（耳介）を被うように、ユーザの右耳に装着される。イヤーピース１３２−２は、ドライバ１３１−１内部の発音体が発した音波をユーザの右耳に導くか、または透過させる。すなわち、ユーザは、右耳から音を聞くことができる。イヤーピース１３２−１は、ユーザの右耳に装着された場合、計測用コードを介して、ユーザの右耳と音楽プレーヤ１１２の抵抗計測部１４１とを電気的に接続する。
【００６４】
なお、ドライバ１３１−１およびイヤーピース１３２−１をユーザの左耳に装着し、ドライバ１３１−２およびイヤーピース１３２−２をユーザの右耳に装着するとして説明したが、当然、ドライバ１３１−１およびイヤーピース１３２−１をユーザの右耳に装着し、ドライバ１３１−２およびイヤーピース１３２−２をユーザの左耳に装着するようにしてもよい。
【００６５】
音楽プレーヤ１１２は、例えば、カセットテープ、CD、MD、メモリーカード、若しくは不揮発性メモリなどの記憶媒体、または小型のハードディスクなどを内蔵して音楽信号を記録または再生できる音楽プレーヤ（いわゆる、携帯オーディオプレーヤ）、PDA（Personal Digital Assistance）、または音楽再生機能を備えた携帯電話などである。音楽プレーヤ１１２は、音声信号を再生し、ヘッドホンコードを介して、再生した音声信号をヘッドホン１１１のドライバ１３１−１およびドライバ１３１−２に供給する。
【００６６】
また、音楽プレーヤ１１２の電源の状態（電源モード）であるが、音楽プレーヤ１１２の電源がオンしている状態を通常モードと称し、一方、音楽プレーヤ１１２の操作入力および制御に要する部位のみに電源を供給し、音声の再生に要する部位の電源をオフしている状態を電源保持モードと称する。すなわち、音楽プレーヤ１１２の電源モードが通常モードである場合、音楽プレーヤ１１２の全体が、バッテリにより駆動されており、一方、音楽プレーヤ１１２の電源モードが電源保持モードである場合、音楽プレーヤ１１２は、ユーザからの操作を受け付けるのに必要な最小限の部分がバッテリにより駆動され、電力をより多く消費する音声の再生に要する部位がバッテリにより駆動されない。
【００６７】
より具体的には、音楽プレーヤ１１２の電源モードが通常モードである場合、音楽プレーヤ１１２の音楽再生部１４３は、ヘッドホンコードを介して、音声信号をヘッドホン１１１のドライバ１３１−１およびドライバ１３１−２に供給し、一方、音楽プレーヤ１１２の電源モードが電源保持モードである場合、音楽プレーヤ１１２の音声再生部１４３は、ヘッドホンコードを介して、音声信号をヘッドホン１１１のドライバ１３１−１およびドライバ１３１−２には供給しない。換言すれば、音楽プレーヤ１１２の電源モードが通常モードである場合、ユーザは、ヘッドホン１１１から音楽を聴くことができるが、一方、音楽プレーヤ１１２の電源モードが電源保持モードである場合、ユーザは、ヘッドホン１１１から音楽を聴くことはできない。
【００６８】
なお、音楽プレーヤ１１２の電源保持モードである電源モードには、いわゆる、サスペンド状態またはスリープ状態が含まれる。
【００６９】
また、音楽プレーヤ１１２には、例えば、再生、停止、ポーズ、早送り、巻き戻し、またはボリューム調節などの各種ボタンが設けられている。例えば、音楽プレーヤ１１２は、ユーザの操作により、音楽プレーヤ１１２の再生ボタンが押された場合、音声信号をヘッドホン１１１のドライバ１３１−１およびドライバ１３１−２に供給し、さらに、ユーザの操作により、音楽プレーヤ１１２の停止ボタンが押された場合、音声信号のヘッドホン１１１のドライバ１３１−１およびドライバ１３１−２への供給を停止する。
【００７０】
音楽プレーヤ１１２は、抵抗値計測部１４１、制御部１４２、および音楽再生部１４３からなる。抵抗値計測部１４１は、計測用コードを介して、ヘッドホン１１１のイヤーピース１３２−１およびイヤーピース１３２−２に電気的に接続される。音楽再生部１４３は、ヘッドホンコードを介して、ヘッドホン１１１のドライバ１３１−１およびドライバ１３１−２に接続される。
【００７１】
抵抗値計測部１４１は、イヤーピース１３２−１とイヤーピース１３２−２との間の抵抗値を計測し、計測した抵抗値を装着判定部１５１に供給する。例えば、抵抗値計測部１４１は、ヘッドホン１１１がユーザに装着されている場合、イヤーピース１３２−１とイヤーピース１３２−２とが接触しているユーザの頭部の抵抗値を計測し、計測したユーザの頭部の抵抗値を装着判定部１５１に供給する。
【００７２】
ここで、抵抗値計測部１４１が人体の抵抗値を計測する方法であるが、人体は抵抗値が数ＭΩの導体であり、人体に影響のない微弱な電圧をかけるか電流を流すことにより、人体の抵抗値（電気抵抗値）を計測することができる。また、抵抗値計測部１４１は、例えば、ホイートストンブリッジなどのブリッジ回路などを用いることができる。
【００７３】
なお、抵抗値に限らず、容量値などを計測するようにしてもよい。
【００７４】
抵抗値計測部１４１は、装着判定部１５１を含む。
【００７５】
装着判定部１５１は、抵抗値測定部１４１で計測された抵抗値を基に、ユーザがヘッドホン１１１を装着しているか否かを判定し、判定した結果（以下、装着判定結果と称する）を制御部１４２に供給する。例えば、装着判定部１５１は、抵抗値測定部１４１で計測された抵抗値が、予め定められた閾値以下であると判定した場合、ユーザがヘッドホン１１１を装着していると判定し、一方、抵抗値測定部１４１から供給される抵抗値が、閾値以上であると判定した場合、ユーザがヘッドホン１１１を取り外していると判定する。
【００７６】
制御部１４２は、抵抗値判定部１５１から供給される装着判定結果を基に、音楽プレーヤ１１２を制御する。例えば、制御部１４２は、装着判定結果を基に、音楽プレーヤ１１２の電源モードを変更して、後述する音楽再生部１４３を制御する。より具体的には、例えば、制御部１４２は、抵抗値判定部１５１から供給される装着判定結果が、ユーザがヘッドホン１１１を取り外していることを示す通知である場合、音楽プレーヤ１１２の電源モードが通常モードであるとき、音楽プレーヤ１１２の電源モードを通常モードから電源保持モードに移行し、音楽プレーヤ１１２の電源モードが電源保持モードであるとき、音楽プレーヤ１１２の電源モードを電源保持モードで継続することで、後述する音楽再生部１４３からの音声信号のヘッドホン１１１のドライバ１３１−１およびドライバ１３１−２への供給を停止させる。
【００７７】
一方、制御部１４２は、抵抗値判定部１５１から供給される装着判定結果が、ユーザがヘッドホン１１１を装着していることを示す通知である場合、音楽プレーヤ１１２の電源モードが電源保持モードであるとき、音楽プレーヤ１１２の電源モードを電源保持モードから通常モードに移行し、音楽プレーヤ１１２の電源モードが通常モードであるとき、音楽プレーヤ１１２の電源モードを通常モードで継続することで、後述する音楽再生部１４３から、ヘッドホンコードを介して、音声信号をヘッドホン１１１のドライバ１３１−１およびドライバ１３１−２に供給させる。
【００７８】
また、制御部１４２は、ユーザの操作により、例えば、音楽プレーヤ１１２に設けられている、再生、停止、ポーズ、早送り、巻き戻し、またはボリューム調節などの各種ボタンが押された場合、押されたボタンに対応する所定の処理を制御する。例えば、制御部１４２は、ユーザの操作により、音楽プレーヤ１１２の再生ボタンが押された場合、音楽再生部１４３に対して、ヘッドホンコードを介して、音声信号をヘッドホン１１１のドライバ１３１−１およびドライバ１３１−２に供給させて、さらに、ユーザの操作により、音楽プレーヤ１１２の停止ボタンが押された場合、音楽再生部１４３に対して、音声信号のヘッドホン１１１のドライバ１３１−１およびドライバ１３１−２への供給を停止させる。
【００７９】
音楽再生部１４３は、制御部１４２の制御に基づいて、ヘッドホンコードを介して、音声信号をヘッドホン１１１に供給する。例えば、音楽プレーヤ１１２の電源モードが通常モードである場合、音楽再生部１４３は、制御部１４２の制御に基づいて、ヘッドホンコードを介して、音声信号をヘッドホンのドライバ１３１−１およびドライバ１３１−２に供給する。一方、音楽プレーヤ１１２の電源モードが電源保持モードである場合、音楽再生部１４３は、制御部１４２の制御に基づいて、音声信号のヘッドホン１１１のドライバ１３１−１およびドライバ１３１−２への供給を停止させる。
【００８０】
ドライブ１１３は、必要に応じて音楽プレーヤ１１２に接続される。ドライブ１１３には、磁気ディスク１２１、光ディスク１２２、光磁気ディスク１２３、または半導体メモリ１２４が適時装着される。ドライブ１３３は、装着された磁気ディスク１２１、光ディスク１２２、光磁気ディスク１２３、または半導体メモリ１２４から記憶されているプログラムを読み出して、読み出したプログラムを制御部１４２に供給する。
【００８１】
このように、制御部１４２および抵抗値計測部１４１は、記録媒体の一例である磁気ディスク１２１、光ディスク１２２、光磁気ディスク１２３、または半導体メモリ１２４から読み出されたプログラムを実行することができる。
【００８２】
以下、ドライバ１３１−１およびドライバ１３１−２は同様に構成され、ドライバ１３１−１およびドライバ１３１−２を個々に区別する必要がないとき、単に、ドライバ１３１と称する。また、イヤーピース１３２−１およびイヤーピース１３２−２は同様に構成され、イヤーピース１３２−１およびイヤーピース１３２−２を個々に区別する必要がないとき、単に、イヤーピース１３２と称する。
【００８３】
図４は、ドライバ１３１およびイヤーピース１３２の構成の詳細な例を示す図である。図３に示す場合と同様の部分には、同一の番号が付してあり、その説明は適宜省略する。
【００８４】
ドライバユニット２０１は、例えば、所定の磁界中に配置されたコイルまたはピエゾ素子などの発音体からなり、ドライバ１３１の内部に設けられる。また、ドライバユニット２０１は、ヘッドホンコードを介して、音楽プレーヤ１１２の音楽再生部１４３から供給される音声信号に応じて振動することで、音声信号を音声に変換する。
【００８５】
さらに、ドライバユニット２０１は、ドライバ１３１の内部に設けられるので、イヤーピース１３２が、ユーザの耳の耳孔に挿入されるか、またはユーザの耳殻（耳介）を被うように、ユーザの耳に装着されて、ドライバユニット２０１が、ヘッドホンコードを介して、音楽再生部１４３から供給される音声信号に応じて振動することで、ユーザは、耳から音を聞く。なお、ドライバユニット２０１と音楽プレーヤ１１２とは、信号線（いわゆる、ホット側）および接地線（GND（グランド）線、いわゆる、コールド側）からなるヘッドホンコードで接続される。接地線は、音楽プレーヤ１１２のグランドに接続される。なお、ドライバ１３１−１側の接地線およびドライバ１３１−２側の接地線を共通としてもよい。
【００８６】
導電体２０２は、例えば、導電性エラストマー、導電性ゴム、導電性プラスチック、または金属などの導電性物質からなり、イヤーピース１３２に接触するように、その内部に設けられる。また、導電体２０２は、計測用コードを介して、抵抗値測定部１４１に接続される。
【００８７】
すなわち、イヤーピース１３２−１およびイヤーピース１３２−２は、それぞれ、その内部に設けられた導電体２０２を介して、人体と抵抗計測部１４１とを電気的に接続する。このようにすることで、ユーザの耳の形状に合わせたい場合やイヤーピース１３２がへたった場合など、イヤーピース１３２だけを簡単に交換することができる。なお、イヤーピース１３２と導電体２０２とを一体に形成するようにしてもよい。
【００８８】
次に、図５のフローチャートを参照して、音楽プレーヤ１１２の再生ボタンが押された場合の抵抗値による電源モード変更の処理を説明する。
【００８９】
ステップＳ１０１において、制御部１４２は、音楽プレーヤ１１２を、通常モードである電源モードで動作させる。すなわち、音楽再生部１４３は、ヘッドホンコードを介して、音声信号をヘッドホン１１１に供給する。ユーザは、ヘッドホン１１１を耳に装着して、音楽プレーヤ１１２が再生する音楽を聴くことができる。
【００９０】
ステップＳ１０２において、制御部１４２は、所定の時間が経過したか否かを判定する。
【００９１】
ここで、所定の時間とは、後述するステップＳ１０３の処理およびステップＳ１０４の処理を実行する更新間隔をいう。すなわち、所定の時間とは、制御部１４２が、定期的に、ヘッドホン１１１の左右に設けられた導電体２０２の間の抵抗値を抵抗計測部１４１に計測させる時間の間隔である。
【００９２】
例えば、更新間隔は、１秒を設定することにより、後述するステップＳ１０３の処理およびステップＳ１０４の処理は、１秒間隔で実行される。また、更新間隔は、適宜設定することができ、更新間隔を短くすることで、ユーザがヘッドホン１１１を取り外した後、直ぐに音楽プレーヤ１１２の電源モードを電源保持モードに移行することができるので、音楽プレーヤ１１２のバッテリの無駄な消費を減少させることができる。一方、この間隔を長くした場合、制御部１４２の負荷を減らすことができる。
【００９３】
なお、上述した所定の時間を設定せずに、常時、ステップＳ１０３の処理およびステップＳ１０４の処理を実行するようにしてもよい。その場合、ステップＳ１０１の処理の後、ステップＳ１０２の処理をスキップして、ステップＳ１０３の処理を実行するようにすればよい。
【００９４】
ステップＳ１０２において、所定の時間が経過していないと判定された場合、ステップＳ１０２に戻り、所定の時間が経過するまで、上述した処理を繰り返す。
【００９５】
一方、ステップＳ１０２において、所定の時間が経過していると判定された場合、ステップＳ１０３に進み、抵抗値計測部１４１は、ヘッドホン１１１の右側と左側との間の抵抗値を計測する。抵抗値計測部１４１は、計測した抵抗値を装着判定部１５１に供給する。例えば、抵抗値計測部１４１は、導電体２０２および計測用コードを介して、イヤーピース１３２−１とイヤーピース１３２−２との間の抵抗値を計測し、計測した抵抗値を装着判定部１５１に供給する。
【００９６】
イヤーピース１３２−１およびイヤーピース１３２−２が双方ともにユーザの耳に装着されている場合、抵抗計測部１４１は、ユーザの左右の耳の間の抵抗値を測定することになる。一方、イヤーピース１３２−１およびイヤーピース１３２−２のいずれか一方が、ユーザの耳から取り外されている場合、イヤーピース１３２−１とイヤーピース１３２−２との間は開放されているので、抵抗計測部１４１は、無限大の抵抗値を計測することとなる。
【００９７】
ステップＳ１０４において、装着判定部１５１は、抵抗値計測部１４１から供給される抵抗値を基に、抵抗値計測部１４１から供給される抵抗値が予め定められた閾値以上であるか否かを判定する。
【００９８】
ステップＳ１０４において、抵抗値は閾値以上ではないと判定された場合、ヘッドホン１１１はユーザの耳に装着されているので、ステップＳ１０１に戻り、上述した処理を繰り返す。すなわち、音楽プレーヤ１１２の電源モードは、通常モードのままであり、音声の再生が継続される。
【００９９】
一方、ステップＳ１０４において、抵抗値が閾値以上であると判定された場合、ヘッドホン１１１はユーザから取り外されているので、ステップＳ１０５に進み、制御部１０５は、音楽プレーヤ１１２の電源モードを通常モードから電源保持モードに移行させる。
【０１００】
すなわち、抵抗値が閾値以上であるか否かを基に、ヘッドホン１１１がユーザの人体に装着されているか否かが判定され、ヘッドホンが人体に装着されていないと判定された場合、音楽プレーヤ１１２の電源がオフする。換言すれば、ユーザの明示的な操作なしで（ユーザが無意識のうちに）、音楽プレーヤ１１２の電源がオフする。
【０１０１】
このように、ヘッドホン１１１がユーザから取り外されている場合、ユーザの明示的な操作なしで、音楽プレーヤ１１２の電源をオフすることができるので、音楽プレーヤ１１２のバッテリの無駄な消費を防ぐことができる。
【０１０２】
また、処理は、ステップＳ１０２に戻り、上述した処理を繰り返すことで、ステップＳ１０２において、所定の時間の経過後に、再度、ステップＳ１０３において、抵抗値計測部１４１が、ヘッドホン１１１の右側と左側との間の抵抗値を計測し、さらに、ステップＳ１０４において、装着判定部１５１が、抵抗値計測部１４１から供給される計測したヘッドホン１１１の右側と左側との間の抵抗値を基に、ヘッドホン１１１がユーザに装着されているか否かを判定することができる。
【０１０３】
換言すれば、ユーザがヘッドホン１１１を取り外した場合、音楽プレーヤ１１２の電源モードを通常モードから電源保持モードに移行させる。その後さらに、ユーザがヘッドホン１１１を装着した場合、再度、音楽プレーヤ１１２の電源モードを電源保持モードから通常モードに移行させることができる。すなわち、ユーザがヘッドホン１１１を取り外している場合、音楽プレーヤ１１２は、電源保持モードで動作し、一方、ユーザがヘッドホン１１１を装着している場合、音楽プレーヤ１１２は、通常モードで動作する。そのとき、音楽プレーヤ１１２の電源モードの移行は、ユーザは、明示的な操作なしで（ユーザが無意識のうちに）行われる。
【０１０４】
このようにすることで、ユーザがヘッドホン１１１を耳に装着している場合にのみ、音楽を再生させることができるので、音楽プレーヤ１１２におけるバッテリの無駄な消費を防ぐことができる。
【０１０５】
なお、音楽プレーヤ１１２の電源モードが、通常モードから電源保持モードに移行する場合、音楽再生部１４３が音楽を再生していた位置（以下、再生位置と称する）を音楽プレーヤ１１２に設けられる記憶装置（例えば、制御部１４２の内部に設けられている記憶部）に記憶し、再度、音楽プレーヤ１１２の電源モードが、電源保持モードから通常モードに戻ったとき、記録装置に記憶していた再生位置を基に、その再生位置から音楽の再生を再開することで、ユーザがヘッドホン１１１を外している間のみ、音楽をポーズの状態とすることができる。
【０１０６】
このようにすることで、例えば、電車のアナウンスなどを聞くために、ユーザがヘッドホン１１１を外した場合であっても、即座に、音楽の再生が停止し、ヘッドホン１１１を装着すると停止したところから音楽が再生されるので、ユーザは音楽プレーヤ１１２が再生する音楽を聞き逃すことはない。
【０１０７】
次に、図６のフローチャートを参照して、音楽プレーヤ１１２の再生ボタンが押された場合の電源モード変更の処理について説明する。
【０１０８】
ステップＳ１５１乃至ステップＳ１５５の処理のそれぞれは、図５のステップＳ１０１乃至ステップＳ１０５の処理と同様であり、その説明は省略する。また、音楽プレーヤ１１２は、ステップＳ１５５の処理によって、電源保持モードで動作しているものとする。
【０１０９】
ステップＳ１５６において、制御部１４２は、ユーザの操作により、音楽プレーヤ１１２の再生ボタンが押されたか否かを判定する。
【０１１０】
ステップＳ１５６において、ユーザの操作により、音楽プレーヤ１１２の再生ボタンが押されたと判定された場合、ステップＳ１５１に戻り、音楽プレーヤ１１２の電源モードは、電源保持モードから通常モードに移行する。すなわち、音楽プレーヤ１１２の再生ボタンが押された場合、音楽プレーヤ１１２の電源がオンする。
【０１１１】
このとき、音楽プレーヤ１１２の音楽再生部１４３は、ヘッドホンコードを介して、音声信号をヘッドホン１１１に供給するので、ユーザは、ヘッドホン１１１を耳に装着して、音楽を聴くことができる。
【０１１２】
一方、ステップＳ１５６において、ユーザの操作により、音楽プレーヤ１１２の再生ボタンが押されていないと判定された場合、ステップＳ１５２に戻り、上述した処理を繰り返す。すなわち、ユーザがヘッドホン１１１を装着するか、または、ユーザが音楽プレーヤ１１２の再生ボタンを押す操作をするまで、音楽プレーヤ１１２の電源モードは、電源保持モードで動作し続けるので、音楽プレーヤ１１２の電源はオフのままである。
【０１１３】
このように、本発明において、人体の導電性を利用して、音楽プレーヤ１１２の電源モードを切り替える場合でも、従来の音楽プレーヤ１２と同様に、ユーザの操作により、音楽プレーヤ１１２に設けられたボタン（例えば、再生ボタン）を押すことで、音楽プレーヤ１１２の電源モードを通常モードに移行させることができる。
【０１１４】
なお、ユーザの操作により押される音楽プレーヤ１１２のボタンは、上述した再生ボタンに限らず、例えば、早送り、巻き戻し、またはボリューム調節のボタンなどであってもよい。
【０１１５】
また、ヘッドホン１１１と音楽プレーヤ１１２とは、無線で通信し、いわゆるコードレスとすることができる。この場合、ヘッドホン１１１および音楽プレーヤ１１２に、赤外線または電波などにより、無線通信を行なう無線通信制御部を設ければよい。
【０１１６】
さらに、ヘッドホン１１１は、いわゆる、骨伝導により音声を伝達するものであってもよい。
【０１１７】
また、抵抗値計測部１４１をヘッドホン１１１側に設けるようにしてもよい。
【０１１８】
さらにまた、ユーザがヘッドホン１１１を取り外した場合、音楽プレーヤ１１２の電源モードとは関係なく、単に、音楽プレーヤ１１２が再生する音声信号を停止（または、ポーズ）させたり、ヘッドホン１１１が出力する音声のボリュームを下げたりするようにしてもよい。
【０１１９】
以上のように、人体の導電性を利用して、ユーザがヘッドホン１１１を耳に装着している場合にのみ、音楽を再生させることができるので、音楽プレーヤ１１２におけるバッテリの無駄な消費を防ぐことができる。すなわち、音楽プレーヤ１１２のバッテリの駆動時間を長くすることができる。
【０１２０】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１２１】
この記録媒体は、図３に示すように、コンピュータとは別に、ユーザにプログラムを提供するために配布される、プログラムが記録されている磁気ディスク１２１（フレキシブルディスクを含む）、光ディスク１２２（CD-ROM(Compact Disc-Read Only Memory)を含む）、光磁気ディスク１２３（MD（商標）を含む）、若しくは半導体メモリ１２４などよりなるパッケージメディアにより構成されるだけでなく、コンピュータに予め組み込まれた状態でユーザに提供される、プログラムが記録されているROM（図示せず）などで構成される。
【０１２２】
また、上述した一連の処理を実行させるプログラムは、必要に応じてルータ、モデムなどのインタフェースを介して、ローカルエリアネットワーク、インターネット、デジタル衛星放送といった、有線または無線の通信媒体を介してコンピュータにインストールされるようにしてもよい。
【０１２３】
なお、本明細書において、記録媒体に格納されるプログラムを記述するステップは、記載された順序に沿って時系列的に行われる処理はもちろん、必ずしも時系列的に処理されなくとも、並列的あるいは個別に実行される処理をも含むものである。
【０１２４】
また、本明細書において、システムとは、複数の装置により構成される装置全体を表すものである。
【図面の簡単な説明】
【０１２５】
【図１】ヘッドホンと音楽プレーヤとからなる従来の再生システムを示す図である。
【図２】従来の再生システムの電源モードの変更の処理を説明するフローチャートである。
【図３】本発明を適用した再生システムの一実施の形態を示すブロック図である。
【図４】ドライバおよびイヤーピースの構成の詳細な例を示す図である。
【図５】音楽プレーヤの再生ボタンが押された場合の抵抗値による電源モード変更の処理を説明するフローチャートである。
【図６】音楽プレーヤの再生ボタンが押された場合の電源モード変更の処理を説明するフローチャートである。
【符号の説明】
【０１２６】
１０１  再生システム，  １１１  ヘッドホン，  １１２  音楽プレーヤ，  １１３  ドライブ，  １２１  磁気ディスク，  １２２  光ディスク，  １２３  光ディスク，  １２４  半導体メモリ，  １３１、１３１−１、および１３１−２  ドライバ，  １３２、１３２−１、１３２−２  イヤーピース，  １４１  抵抗値計測部，  １４２  制御部，  １４３  音楽再生部，  １５１  装着判定部，  ２０１  ドライバユニット，  ２０２  導電体
【図１】
2006024241.tif 000003
【図２】
2006024241.tif 000004
【図３】
2006024241.tif 000005
【図４】
2006024241.tif 000006
【図５】
2006024241.tif 000007
【図６】
2006024241.tif 000008